(57)【要約】      （修正有）【課題】使用者の実際のニーズに応じて着用としての仕様を提供するか、或いは収納すると適時に首枕となる仕様効果を実現する多機能衣服を提供する。【解決手段】衣服本体２１と衣服本体上に設けた複数のポケット２２を含む。そのうち、各ポケットは、開口２２１と、開口周囲に延伸した裏地２２２と、適時開閉できる両面閉合部材２２３とを備える。また、裏地は、半オープン形状の環状体と、環状体上に設け尚且つオープン形状の外開口２２２Ｅと、一端が閉じ尚且つもう一端が外開口に繋がる内開口２２２Ｆとを含み、さらに外開口のサイズは内開口のサイズより小さく、裏地の内表層上には保護層を設けることを特徴とする。これにより、多機能衣服は、着用や皮膚を覆う等の効果を提供するとともに、裏地を外方向に裏返して衣服本体を裏地に包み込むと、使用者は首に巻き付けて首枕として使用できる。【選択図】図３
0003182985.tif 000002
【実用新案登録請求の範囲】
【請求項１】
衣服本体と、衣服本体上に設けた複数のポケットを含む多機能衣服において、各ポケットには、開口と、開口周囲に延伸する裏地と、適時開閉できる両面閉合部材とを備え、裏地は、内表層と、内表層に相対する外表層とを繞設して構成され、内表層はポケット内に配置し、尚且つ収納空間に繞設し、前記ポケットの裏地には、内表層と外表層を繞設し尚且つ半オープン形状をなす環状体と、環状体上に設け尚且つオープン形状の外開口と、一端が閉じ尚且つもう一端が外開口に繋がる内開口とを含み、並びに、前記裏地の内表層上に保護層を設け、内開口は開口箇所近くに設置し、外開口のサイズは内開口のサイズより小さく、内表層はポケットの開口から外方向に裏返して衣服本体を入れる配置空間を形成することにより、衣服本体を内側方向に折り畳んで収納する利便を図り、並びに、両面閉合部材を閉じて衣服本体を包み込むことを特徴とする多機能衣服。
【請求項２】
前記裏地には引掛部を設けることを特徴とする請求項１に記載の多機能衣服。
【請求項３】
前記保護層は内表層上、尚且つ外開口に相対する箇所に取り付けることを特徴とする請求項１に記載の多機能衣服。
【請求項４】
前記衣服本体上には温度や湿度等のデータを探知する感知シールを設けることを特徴とする請求項１に記載の多機能衣服。
【請求項５】
前記衣服本体上にＬＥＤライトを取り付けることを特徴とする請求項１に記載の多機能衣服。
【請求項６】
前記保護層は塗料を塗布する方式で形成することを特徴とする請求項１または３に記載の多機能衣服。
【請求項７】
前記保護層は、防水及び耐磨耗の生地を内表層上に縫い付けることを特徴とする請求項１または３に記載の多機能衣服。
【考案の詳細な説明】
【技術分野】
【０００１】
本考案は、衣服の設計に関し、多機能衣服に係る。
【背景技術】
【０００２】
図１及び図２に示すとおり、市場には折り畳んで収納できる上着１があり、主に、上着本体１１と上着本体１１に設けた袋１２によって構成される。そのうち、袋１２は上着本体１１上に設けた開口１２１と開口１２１周囲に設けたファスナー１２２を含む。使用時、使用者は上着１を衣服として着用し、収納する場合、上着１は開口１２１を通過させ、上着本体１１を折り畳み、袋１２内に収納し、さらにファスナー１２２を締めて袋形態とする（未図示）。
【０００３】
しかし、実際の使用において、この種の折り畳んで収納する上着１は、収納後、上着本体１１を袋１２内に収納できるだけである。使用上、簡単に収納でき携帯が便利等の効果を備えるが、袋１２の形態に関しては単なる収納スペースの役割のみで、形状ももっとも一般的な矩形、長方形のパターンに限られ使用上の用途も非常に限られている。
【考案の概要】
【考案が解決しようとする課題】
【０００４】
よって、本考案の目的は、使用者の実際のニーズに応じて着用としての使用を提供するか、或いは収納すると適時に首枕となる使用効果を実現する多機能衣服の提供にある。
【課題を解決するための手段】
【０００５】
本考案の多機能衣服は、衣服本体と衣服本体上に設けた複数のポケットを含む。
そのうち、各ポケットは、開口と、開口周囲に延伸した裏地と、適時開閉できる両面閉合部材とを備え、裏地は、内表層と、内表層に相対する外表層とを繞設して形成され、内表層はポケット内に配置し、尚且つ収納空間に繞設する。
特に、前記ポケットの裏地には、内表層及び外表層を繞設し尚且つ半オープン形状をなす環状体と、環状体上に設け尚且つオープン形状の外開口と、一端が閉じ尚且つもう一端が外開口に繋がる内開口とを含み、並びに、前記裏地の内表層上に保護層を設ける。
そのうち、内開口は開口箇所近くに設置し、外開口のサイズは内開口のサイズより小さく、内表層はポケットの開口から外方向に裏返して衣服本体を入れる配置空間を形成するため、衣服本体を裏地で包み込む。
よって、簡単な構造と便利な携帯を実現するとともに、環状体によって形成される外観を首枕として使用者は乗り物の中で使用でき、多機能の使用効果を兼ね備えたものとなる。
【考案の効果】
【０００６】
本考案の多機能衣服は、一般の衣服として着用できるほか、ポケットの開口から衣服本体を裏返して内側に包み込んだ後に形成される半開放環状タイプの充填物となり、簡単な構造と便利な携帯を実現するとともに、使用者の首に巻きつけて首枕として使用できるため、多機能効果を発揮し、多機能衣服の使用範囲を拡大する目的を確実に実現する。
【図面の簡単な説明】
【０００７】
【図１】公知の上着の前面図である。
【図２】公知の上着の背面図である。
【図３】本考案の好ましい実施例を示す図である。
【図４】図３の一部拡大図である。
【図５】本考案の好ましい実施例を示すもう一つの図である。
【図６】本考案の好ましい実施例を折り畳み収納した状態を示す図である。
【図７】本考案のもう一つの好ましい実施例を示す図である。
【図８】本考案のもう一つの好ましい実施例を折り畳み収納した状態を示す図である。
【図９】本考案のもう一つの好ましい実施例を折り畳み収納した状態を示す図である。
【図１０】本考案のもう一つの好ましい実施例を示す図である。
【考案を実施するための形態】
【０００８】
本考案の前述及びその他の技術内容、特徴及び効果について明確に理解できるよう、次に、図面を参照した好ましい実施例の詳細説明を行う。
【実施例】
【０００９】
図３乃至図５を参照とした本考案の多機能衣服の第一実施例において、多機能衣服２は、衣服本体２１と衣服本体２１上に設けた複数のポケット２２を含む。
そのうち、各ポケット２２は、開口２２１と、開口２２１周囲に延伸した裏地２２２と、適時開閉できる両面閉合部材２２３を備える。
該裏地２２２は内表層２２２Ａと、内表層２２２Ａに相対する外表層２２２Ｂとの繞設によって構成され、内表層２２２Ａはポケット２２内に配置し、尚且つ収納空間２２２Ｃに繞設する。
また、衣服本体２１上のポケット２２は使用者の両手を気軽に入れられる箇所に設け、両面閉合部材２２３は両面ファスナー、複数の両面引掛具、或いは両面マジックテープ（登録商標）等、両面閉合効果を提供できる部材とする。
本実施例においては、両面ファスナーを例として説明を行う。
特に、前記ポケット２２の裏地２２２には、内表層２２２Ａ及び外表層２２２Ｂを繞設し尚且つ半オープン形状をなす環状体２２２Ｄと、環状体２２２Ｄ上に設け尚且つオープン形状の外開口２２２Ｅと、一端が閉じ尚且つもう一端が外開口２２２Ｅに繋がる内開口２２２Ｆとを含み、並びに、前記裏地２２２の内表層２２２Ａ上に保護層Ｐを設ける。
また、該内開口２２２Ｆは開口２２１箇所近くに設置し、外開口２２２Ｅのサイズは内開口２２２Ｆのサイズより小さく、内表層２２２Ａはポケットの開口２２１から外方向に裏返して、衣服本体２１を入れる配置空間Ｒ（図６参照）を形成するため、衣服本体２１を内側に折り畳み収納する利便を図る。
尚、両面閉合部材（両面ファスナー）２２３を閉じて衣服本体２１を包み込むと、使用者はこれを首枕として使用することができる。
【００１０】
図３乃至図６を使用する際は、使用者は衣服本体２１を一般の衣服として着用すると、皮膚を覆ったり体温保持等の効果が得られる。
さらに、使用者がポケット２２の収納空間２２２Ｃ内に物品を入れた後にポケットの開口２２１周囲の両面閉合部材（両面ファスナー）２２３を閉じると、閉封効果を発揮するため、物品の遺失を防ぐ。
また、使用者が多機能衣服２を折り畳んで収納し携帯したい場合、或いはさらに利用したい場合は、内表層２２２Ａをポケットの開口２２１から外側に折り返し、衣服本体２１を半オープン環状形の配置空間Ｒ内に包み込むと、簡単構造で便利に携帯できる効果を達成する。
また、裏地２２２によって形成される環状体２２２Ｄは半オープン形状で、環状体２２２Ｄの外開口２２２Ｅのサイズは内開口２２２Ｆのサイズより小さく設計するため、内表層２２２Ａを外側に裏返して衣服本体２１を収納する時、その収納形態は、開口が一つ大きく一つ小さく徐々に収縮する形状を作りだす。
特に、旅行中に交通手段を使う状況において、使用者はそれを首の周りに巻いて首枕として使用、首部のサポート効果を発揮し、旅行過程が更に快適になる。
よって、本考案は、簡単で便利な携帯を可能にする他、環状体２２２Ｄによって形成される外観を首枕として使用できるため、多機能の応用目的を達成し、生活のクオリティを向上させる。
【００１１】
図７乃至図９に示した本考案の多機能衣服のもう一つの好ましい実施例において、多機能衣服２には、衣服本体２１と衣服本体２１上に設けた複数のポケット２２を含む。
特に、裏地２２２上には適時に引掛部２２２Ｇを設け、それによって収納を終えた多機能衣服２には、簡潔な外観が備えられると同時に、便利な携帯等の効果が発揮される。
ここで特に提起したい点は、保護層Ｐは前面に塗料を塗布する方式で形成される点にある（図８参照）。
即ち、保護層Ｐは、裏地２２２を裏返した後に形成された首枕及び首枕表面の内表層２２２Ａを使用する際、内表層２２２Ａに直接接触する使用者の大切な衣服にダメージを与えるのを防ぐ役割を果たす。
さらに、該保護層Ｐには、防水及び耐磨耗の生地を内表層２２２Ａ上に縫い付けてもよく、外開口２２２Ｅ位置に相対させて設置する。
同時に該保護層Ｐは適時に開放性ファイバー細胞材（Open fiber cell material）（図９参照）を採用し、それは短時間で使用者の体温に反応するとともに、使用者の首部の曲線を記憶し、首部サポートの最良効果を達成する。また、保護層Ｐは保温特性を有する材質によって製作してもよい。
例えば、現在の市場には保冷剤や保熱剤等があるが、これを用いることによって、使用者が今いる場所の気候に合わせて、体温調節を行ったり環境に適当させる等の効果を達成する。
よって、引掛部２２２Ｇ、保護層Ｐを用いる構造は、使用者の実際のニーズに応じて変化を与えられるだけでなく、便利な携帯を実現し、多機能使用効果を発揮する。
【００１２】
図１０に示した本考案の多機能衣服のもう一つの好ましい実施例において、多機能衣服２には、衣服本体２１と衣服本体２１上に設けた複数のポケット２２を含む。
特に、衣服本体２１上には適時に温度や湿度等のデータを探知する感知シール２１１（簡略図参照）を設け、使用者の周囲環境の変化を感知するのを助ける。
また、衣服本体２１上に適時にＬＥＤライト２１２（簡略図参照）を取り付けた際には、使用者は暗闇環境に適応し易くなり、簡単な構造及び便利な携帯を実現するほか、多機能使用効果を発揮する。
【００１３】
前述をまとめると、本考案の多機能衣服は、一般の衣服として着用できるほか、ポケットの開口から衣服本体を裏返して内側に包み込んだ後に形成される半開放環状タイプの充填物となり、簡単な構造と便利な携帯を実現するとともに、使用者の首に巻きつけて首枕として使用できるため、多機能効果を発揮し、多機能衣服の使用範囲を拡大する目的を確実に実現する。
【符号の説明】
【００１４】
１    上着
１１    上着本体
１２    袋
１２１  開口
１２２  ファスナー
２    多機能衣服
２１    衣服本体
２１１  感知シール
２１２  ＬＥＤライト
２２    ポケット
２２１  開口
２２２  裏地
２２２Ａ  内表層
２２２Ｂ  外表層
２２２Ｃ  収納空間
２２２Ｄ  環状体
２２２Ｅ  外開口
２２２Ｆ  内開口
２２２Ｇ  引掛部
２２３  両面閉合部材
Ｐ    保護層
Ｒ    配置空間
【図１】
0003182985.tif 000003
【図２】
0003182985.tif 000004
【図３】
0003182985.tif 000005
【図４】
0003182985.tif 000006
【図５】
0003182985.tif 000007
【図６】
0003182985.tif 000008
【図７】
0003182985.tif 000009
【図８】
0003182985.tif 000010
【図９】
0003182985.tif 000011
【図１０】
0003182985.tif 000012